(57)【要約】      （修正有）【課題】駆動歯車の少ない回転量ですべり出し障子を大きく開閉する装置を提供する。【解決手段】窓枠２に摺動自在に設けられた長尺状カム摺動体７、窓枠に設けられた駆動歯車３、駆動歯車の回転運動を長尺状カム摺動体の直線運動に変換する動力変換手段５を備えるすべり出し窓用開閉装置Ｘであって、駆動歯車の半径外方向に延びる長杆状駆動腕３Ｃは該駆動歯車の半径よりも長く、動力変換手段は長杆状駆動腕の突出先端部及び前記長尺状カム摺動体の後端部に前後の両端部がそれぞれ軸支され長杆状駆動腕よりも長く、また長尺状カム摺動板は略直線状の第１案内長孔１５と、曲がり部分を有する第２案内長孔１６とを有し、さらに連結アーム１０は、基端部がすべり出し障子に固定されたブラケット９に軸支され、一方、腕杆状に延びる係合先端部には第１案内長孔に係合する第１係合突起１２及び第２案内長孔に合する第２係合突起１３が設けるすべり出し窓用開閉装置。【選択図】図４
2016089571.tif 000002
【特許請求の範囲】
【請求項１】
窓枠とすべり出し障子との間に連結アーム及び前記すべり出し障子を開・閉状態及びアンロック・ロック状態にそれぞれ切り換えすることができるように前記窓枠に摺動自在に設けられた長尺状カム摺動体と、前記窓枠に設けられた駆動歯車と、この駆動歯車の回転運動を前記長尺状カム摺動体の直線運動に変換する動力変換手段とを備えるすべり出し窓用開閉装置であって、前記駆動歯車の半径外方向に延びる長杆状駆動腕は、該駆動歯車の半径よりも長く、また前記動力変換手段は、前記長杆状駆動腕の突出先端部及び前記長尺状カム摺動体の後端部にその前後の両端部がそれぞれ軸支され、かつ前記長杆状駆動腕よりも長い１本のみの長尺状動力変換アームであり、また前記長尺状カム摺動板は、略直線状の第１案内長孔と、この第１案内長孔と略平行する直線状部分及び該直線状部分に連通する曲がり部分を有する第２案内長孔とを有し、さらに、前記連結アームは、その基端部が前記すべり出し障子に固定されたブラケットに軸支され、一方、腕杆状に延びる係合先端部には、前記第１案内長孔に係合する第１係合突起及び前記第２案内長孔に係合する第２係合突起が設けられている、すべり出し窓用開閉装置。
【請求項２】
請求項１に於いて、長尺状カム摺動体の先端部には、すべり出し障子の完全閉位置で、該すべり出し障子の下框の略中央部を係止する第１ロック手段の他方が設けられていることを特徴とするすべり出し窓用開閉装置。
【請求項３】
請求項１に於いて、長尺状カム摺動体の先端部には、第１リンクの後端部が軸支され、該第１リンクの先端部には第２リンクの後端部が可動連結ピンを介して軸支され、さらに、該第２リンクの先端部には、すべり出し障子が完全閉位置の状態から所定量移動したとき、該すべり出し障子の縦框を係止する第２ロック手段のロック状態を解くことができる動力伝達手段が配設され、前記可動連結ピンは、前記第２ロック手段のロック状態が解かれた後に、前記長尺状カム摺動体のさらなる前進に追動して前記第１リンクと第２リンクを内側に折り畳むことができるようにすべり出し障子側へと位置変位することを特徴とするすべり出し窓用開閉装置。
【請求項４】
請求項３に於いて、すべり出し障子の一方の縦框側の第２ロック手段のロック状態が解かれると略同時に、前記すべり出し障子の下框側の第１ロック手段のロック状態も解かれることを特徴とするすべり出し窓用開閉装置。
【請求項５】
請求項３に於いて、窓枠の下枠には、第１リンクの先端部が超える傾斜面を有する案内部材が設けられていることを特徴とするすべり出し窓用開閉装置。
【請求項６】
請求項１に於いて、長尺状カム摺動体は、窓枠の下枠に設けられた固定ガイドに案内される長尺状スライドベース板と、この長尺状スライドベース板の上面に固定さされた長尺状カム摺動板とから成ることを特徴とするすべり出し窓用開閉装置。
【請求項７】
すべり出し窓は、四方組みされた窓枠と、この窓枠内に設けられ、完全閉位置の状態から所定量移動した後、他方の縦框側から円弧状に外方向へと開くすべり出し障子と、このすべり出し障子の上下框と前記窓枠の上下枠の間にそれぞれ設けられ、かつ前記すべり出し障子を、少なくとも完全閉位置の状態と完全開位置の状態に切り換えて保持するすべり出し窓用開閉装置とから成り、前記窓枠側に配設された前記すべり出し窓用開閉装置は、駆動歯車と、この駆動歯車の駆動力を変換する１本のみの長尺状動力変換アームと、この長尺状動力変換アームの変換により前記窓枠に沿って進退動する長尺状カム摺動体と、この長尺状カム摺動体と前記すべり出し障子の一方の縦框側に設けられたブラケットと接続するように設けられた連結アームとを備え、前記駆動歯車の半径外方向に延びる長杆状駆動腕は該駆動歯車の半径よりも長く、また前記長尺状動力変換アームは、前記長杆状駆動腕の突出先端部及び前記長尺状カム摺動体の後端部に前後の両端部がそれぞれ軸支され、かつ前記長杆状駆動腕よりも長く、さらに、前記長尺状カム摺動体は、略直線状の第１案内長孔と、この第１案内長孔と略平行する直線状部分及び該直線状部分に連通する曲がり部分を有する第２案内長孔とを有し、前記第１案内長孔及び第２案内長孔に、前記連結アームの係合先端部の第１係合突起と第２係合突起がそれぞれ係合している、すべり出し窓。
【発明の詳細な説明】
【技術分野】
【０００１】
本発明は、建具の「すべり出し窓用開閉装置及びこれを利用したすべり出し窓」に関する。
【背景技術】
【０００２】
特許文献１は、本発明の「第２ロック手段」に関するすべり出し窓のロック装置が記載されている。このロック装置は、例えば第２図及び第３図に示されているように、窓枠の下枠の略中央部に固定されたボックス内に設けられた第２歯車２０の支軸１５に固定的に設けられ、前記第２歯車２０と同方向に所定量回転する回転板２８（第１２図参照）と、この回転板２８の前記ボックスから窓戸（障子）側へ突出する突出端部にピン３２を介して連結されたレバー状第１スライダー３３（第１０図参照）と、このレバー状第１スライダー３３の先端部に連結され、四方組みされた窓枠のコーナー部分内に配設された長尺状板バネ３４（第３図参照）と、この板バネ３４の上端部に連結され縦長状第２スライダー３６と、この縦長状第２スライダーの上端部の窓枠側の側壁に固定されたロック手段としてのフック３７と、このフック３７と係脱するように前記窓戸（障子）の縦框ピン３８（第２図参照）とから成り、前記ボックスに設けられたハンドル１８を回転すると、該ハンドル１８の第１歯車１９と噛合する前記第２歯車２０が回転すると同時に前記回転板２８も回転し、該回転運動が動力伝達手段を構成する前記レバー状第１スライダー３３、前記長尺状板バネ３４、前記縦長状第２スライダー３６をそれぞれ介して前記フック３７が下方へと位置変位し、障子側の縦框ピン３８に対する窓枠側のロック手段３７のロックが解かれるというものである。
【０００３】
この特許文献１に記載のロック装置は、窓戸（障子）２の全閉位置でハンドル１８の操作力を利用して、かつ動力伝達手段を介して窓戸（障子）２の縦框のロック手段（フック３７と縦框ピン３８）の係止状態を解くものであるから、閉扉時、風にあおられて窓戸（障子）２が「ガタガタ」し、また開く恐れがないという利点がある。しかしながら、近年、多数の高層ビルディングが建築されるようになって、強風対策として前記ロック装置を窓戸（障子）２の縦框のみならず、横框にも設けることが期待されている。その際、ロック装置は、可能な限り、部品点数が少なく、また簡単に構成であることが望まれる。さらに、ロック装置のロック状態は、窓戸（障子）２が完全閉位置の状態から所定量移動したときに完全に解かれ、その後にすべり出し障子は、駆動歯車のさらなる駆動力により他方の縦框側が円弧状に外方向へと開くことが望ましい（符号や図面は特許文献１のもの）。
【０００４】
特許文献２には、本発明の「第１ロック手段」及び「すべり出し窓」の両方に関する事項がそれぞれ記載されている。前者の第１ロック手段は、窓戸（障子）２の横框を完全閉位置の状態でロック状態を維持するというもので、例えば図３、図４、図５に詳細に図示されており、また後者のすべり出し窓は、例えば図１の一部切欠正面図に図示されている。
【０００５】
まず、前者の第１ロック手段の構成について、図６を参照にして簡単に説明する。図６の下方には、窓枠の下枠に沿って配設された長尺状の開閉操作バー（スライダー）８が設けられ、この長尺状の開閉操作バー８の一端部（図面の左端部）に平面視略Ｕ字形状のフック２７がピン２８を介して障子側の係合片２６に係合することができるように軸支されている。
【０００６】
しかして、図３及び図４を参照にすると、障子の閉位置に於いて、垂直軸４４を中心として平面視やや長板形状の第２スイングアーム４７が矢印Ａで示す反時計方向に回転すると、図面右側の第２連結板４８、第１連結板３３を介して長尺状の開閉操作バー８が図面右側へ摺動する。その際、障子の下框の左端部に固定されたロックカム２９の切欠３２に開閉操作バー８の平面視略Ｕ字形状のフック２７のカムフォロウ（係合ピン）４１が係入するので、該フック２７の指状係止部分が障子側の係合片２６に係合する。この係合状態は、障子の閉位置に於いて、セレクタ状歯車４５と共に回転する第２スイングアーム４７が矢印Ａとは反対の時計方向に回転すると、長尺状の開閉操作バー８が図面左側へ摺動して、障子の横框側の第１ロック手段の係止状態が解かれる。
【０００７】
次に、後者のすべり出し窓の構成について、窓枠１の上下両枠部材３に沿って左右方向に移動自在でその移動により窓ステー６を開位置と閉位置との間で切り換えて障子４を開閉させる開閉操作バー８を設けること、開閉操作バー８は障子４の開閉に関与することなく所定範囲内で左右方向に移動すること、障子４に係合部材２６を設け、開閉操作バー８にフック２７を揺動自在に設けること、下枠２ａとフック２７との間に、上記所定範囲内での開閉操作バー８の左右いずれか一方への移動によりフック２７を揺動させて係合部材２６に係合させ、同じく開閉操作バー８の逆方向への移動によりフック２７を揺動させて係合部材２６への係合を解除させるロック手段を設けること、窓枠１に操作ハンドル３９を設け、該操作ハンドル３９の回転を開閉操作バー８の移動に変換する伝動手段を設けること等が記載されている。
【０００８】
さらに付言すると、図６の下方には、図示しない障子の下框に固定される障子取付け板１１、支持板１２、この支持板１２と前記障子取付板１１を連結する第１アーム１５、前記障子の下框に突設された側の係合片２６（図面の左側のハッチングした片）が図示されている。
【０００９】
そして、前記長尺状の開閉操作バー８の略中央部には、平面視略台形形状の開閉操作カム（本発明の「長尺状カム摺動板」に相当する部材）２２と、該開閉操作カム２２の第１案内長孔（長穴）２４に係合する垂直連結ピン（本発明の「第１係合突起」に相当する部材）１９と、該開閉操作カム２２の第２案内長孔２５に係合するカムフォロウ（本発明の「第２係合突起」に相当する部材）２３をそれぞれ有する第１アーム（本発明の「連結アーム」に相当する部材）１５が、それぞれ図示されている。
【００１０】
しかしながら、特許文献２の「第１ロック手段」及び「すべり出し窓」は、構成が複雑であること（例えばセレクタ状歯車４５と第２スイングアーム４７が別部材である点、第２スイングアーム４７の回転運動を直線運動に変える部材が多い点）、及び発明の課題として、駆動歯車の少ない回転量ですべり出し障子を大きく開閉することができることが考慮されていないことから、もっと改良すべき問題点を有している（図面及び符号は特許文献２のもの）。
【先行技術文献】
【特許文献】
【００１１】
【特許文献１】実開平３−８２８０号公報
【特許文献２】特開平７−２０８０１５号公報
【発明の概要】
【発明が解決しようとする課題】
【００１２】
本願発明の主たる目的は、駆動歯車の少ない回転量ですべり出し障子を大きく開閉することができることである。また本願発明の従たる目的は、簡単な構成により（例えば一つの長尺状カム摺動体を用い）、少なくともすべり出し障子の閉位置で、該すべり出し障子の下框をロックすることができることである。また望ましくは、すべり出し障子の閉位置で、すべり出し障子の開放側（他方）の縦框と下框の両方（複数個所）を同時にロックすることができることである。付言すると、すべり出し障子が室外方向へ開く準備段階として、窓枠の他方の縦枠方向へ窓閉位置の状態で所定量移動したとき、窓ステーを構成する連結アームはすべり出し障子の開き動作に関与しない反面、複数のロック手段、例えば障子の下框側の第１ロック手段及び他方の縦框側の第２ロック手段の両ロック状態を略同時に解くことである。さらに、長尺状カム摺動体が初期の移動からスムースに移動し、その結果、すべり出し障子が確実に開くことである。加えて、長尺状カム摺動体が安定した状態でスムースに移動することである。なお、本願発明は、複数の新規事項を有するので、従たる課題について、多数言及している。これらの従たる課題は、補正如何により、本願発明の主たる目的と成り得るものである。
【課題を解決するための手段】
【００１３】
本発明のすべり出し窓用開閉装置は、窓枠とすべり出し障子との間に連結アーム及び前記すべり出し障子を開・閉状態及びアンロック・ロック状態にそれぞれ切り換えすることができるように前記窓枠に摺動自在に設けられた長尺状カム摺動体と、前記窓枠に設けられた駆動歯車と、この駆動歯車の回転運動を前記長尺状カム摺動体の直線運動に変換する動力変換手段とを備えるすべり出し窓用開閉装置であって、前記駆動歯車の半径外方向に延びる長杆状駆動腕は、該駆動歯車の半径よりも長く、また前記動力変換手段は、前記長杆状駆動腕の突出先端部及び前記長尺状カム摺動体の後端部にその前後の両端部がそれぞれ軸支され、かつ前記長杆状駆動腕よりも長い１本のみの長尺状動力変換アームであり、また前記長尺状カム摺動板は、略直線状の第１案内長孔と、この第１案内長孔と略平行する直線状部分及び該直線状部分に連通する曲がり部分を有する第２案内長孔とを有し、さらに、前記連結アームは、その基端部が前記すべり出し障子に固定されたブラケットに軸支され、一方、腕杆状に延びる係合先端部には、前記第１案内長孔に係合する第１係合突起及び前記第２案内長孔に係合する第２係合突起が設けられていることを特徴とする。
【００１４】
また本発明のすべり出し窓は、すべり出し窓は、四方組みされた窓枠と、この窓枠内に設けられ、完全閉位置の状態から所定量移動した後、他方の縦框側から円弧状に外方向へと開くすべり出し障子と、このすべり出し障子の上下框と前記窓枠の上下枠の間にそれぞれ設けられ、かつ前記すべり出し障子を、少なくとも完全閉位置の状態と完全開位置の状態に切り換えて保持するすべり出し窓用開閉装置とから成り、前記窓枠側に配設された前記すべり出し窓用開閉装置は、駆動歯車と、この駆動歯車の駆動力を変換する１本のみの長尺状動力変換アームと、この長尺状動力変換アームの変換により前記窓枠に沿って進退動する長尺状カム摺動体と、この長尺状カム摺動体と前記すべり出し障子の一方の縦框側に設けられたブラケットと接続するように設けられた連結アームとを備え、前記駆動歯車の半径外方向に延びる長杆状駆動腕は該駆動歯車の半径よりも長く、また前記長尺状動力変換アームは、前記長杆状駆動腕の突出先端部及び前記長尺状カム摺動体の後端部に前後の両端部がそれぞれ軸支され、かつ前記長杆状駆動腕よりも長く、さらに、前記長尺状カム摺動体は、略直線状の第１案内長孔と、この第１案内長孔と略平行する直線状部分及び該直線状部分に連通する曲がり部分を有する第２案内長孔とを有し、前記第１案内長孔及び第２案内長孔に、前記連結アームの係合先端部の第１係合突起と第２係合突起がそれぞれ係合していることを特徴とする。
【発明の効果】
【００１５】
（ａ）独立請求項に記載の各発明は、すべり出し窓用開閉装置並びにすべり出し窓を構成する部品点数（例えば長尺状カム摺動体用の動力変換アーム）を極力少なくすることにより、駆動歯車の少ない回転量ですべり出し障子を大きく開閉することができる。
（ｂ）請求項２に記載の発明は、長尺状カム摺動体の先端部（平面視では右端部）には、すべり出し障子の完全閉位置で、該すべり出し障子の下框を係止する第１ロック手段が設けられているので、風にあおられて障子が開く恐れがないという利点がある。
（ｃ）請求項３に記載の発明は、長尺状カム摺動体の先端部（平面視では右端部）には、第１リンクの後端部が軸支され、該第１リンクの先端部には第２リンクの後端部が可動連結ピンを介して軸支され、さらに、該第２リンクの先端部には、すべり出し障子が完全閉位置の状態から所定量移動したとき、該すべり出し障子の縦框を係止する第２ロック手段のロック状態を解くことができる動力伝達手段が配設され、前記可動連結ピンは、前記第２ロック手段のロック状態が解かれた後に、前記長尺状カム摺動体のさらなる前進に追動して前記第１リンクと第２リンクを内側に折り畳むことができるように出し障子側へと位置変位するので、すべり出し障子の開き動作に関与しない段階で、ロック手段のロックを解くことができる。
（ｄ）請求項４に記載の発明は、すべり出し障子の一方の縦框側の第２ロック手段のロック・アンロック（施錠・解錠）と略同時に、前記すべり出し障子の下框側の第１ロック手段のロック・アンロック（施錠・解錠）が行われるので、特に強風を受け易い高層ビルディングや超高層ビルディングに適用できる。
（ｅ）請求項５に記載の発明は、窓枠の下枠には、第１リンクの先端部が超える傾斜面を有する案内部材が設けられているので、該第１リンクと第２リンクが確実に「ハの字形状」になるように回転し、長尺状カム摺動体が初期の移動から最後までスムースに移動し、その結果、すべり出し障子が確実に開くことができる。
（ｆ）請求項６に記載の発明は、長尺状カム摺動体は、下枠に設けられた固定ガイドに案内される長尺状スライドベース板と、この長尺状スライドベース板の上面に固定された長尺状カム摺動板とから成るので、長尺状カム摺動体が安定した状態でスムースに移動する。
【図面の簡単な説明】
【００１６】
図１乃至図１５は本発明の一実施形態を示す各説明図である。
【図１】すべり出し窓の閉じた状態の正面図。
【図２】図１の２−２線概略拡大断面説明図。
【図３】平面視から主要部の概略説明図（閉窓で、障子が完全閉位置）。
【図４】平面視から主要部の概略説明図（開窓で、障子が略４５度まで全開した位置）。
【図５】すべり出し窓用開閉装置を構成する要部の平面視からの説明図。
【図６】図５を基準とする正面視からの説明図。
【図７】図５を基準とする左側面視からの説明図。
【図８】要部（長尺状カム摺動体）の斜視図。
【図９】要部（長尺状動力変換アーム、連結アーム）の斜視図。
【図１０】平面視から主要部の概略説明図（閉窓で、障子が不完全閉位置で、ロック手段が全て解錠）  。
【図１１】（ａ）第２ロック手段のロック時（施錠）における動力伝達部材の要部の状態を示す説明図。（ｂ）第２ロック手段の非ロック時（解錠）における動力伝達部材の要部の状態を示す説明図。
【図１２】第２ロック手段のロック状態を示す説明図。
【図１３】第２ロック手段のアンロックの状態を示す説明図。
【図１４】第１リンク、第２リンク、傾斜面等を有する案内部材の説明図。
【図１５】第１ロック手段及び第２ロック手段のロックが解かれ後、障子が略１０度開いた状態の平面視からの説明図。
【発明を実施するための最良の形態】
【００１７】
図１乃至図１５は、本発明の一実施形態のすべり出し窓用開閉装置Ｘ（図１では下方のＸ）並びにすべり出し窓Ｙ（図１では下方のＸと上方のＸ１を含む）である。
まず、図１はすべり出し窓Ｙの閉じた状態の正面図で、窓枠２の下枠２ａの略中央部に固定した箱体１に操作部材４が設けられ、該操作部材４の操作力で作動する主要部のすべり出し窓用開閉装置Ｘは、前記下枠２ａに配設されている。いわば完成品としてのすべり出し窓Ｙは、四方組みされたサッシを構成要素とする窓枠２と、この窓枠内に設けられ、完全閉位置の状態から所定量移動した後、他方の縦框８ｂ側から円弧状に外方向へと開くすべり出し障子８と、このすべり出し障子の上下框８ｃ、８ｄ（横框）と前記窓枠２と上下枠２ｂ、２ａの間にそれぞれ設けられ、かつ前記すべり出し障子８を、少なくとも完全閉位置の状態と完全開位置の状態に切り換えて保持するすべり出し窓用開閉装置Ｘとから成る。
【００１８】
次に図２乃至図１５は、前記すべり出し窓Ｙに適合するすべり出し窓用開閉装置Ｘ、ロック手段等の各説明図である。部品（装置）としてのすべり出し窓用開閉装置Ｘは、窓枠２とすべり出し障子８との間に連結アーム１０及び前記すべり出し障子を開・閉状態及びアンロック・ロック状態にそれぞれ切り換えすることができるように窓枠２の下枠２ａに摺動自在に設けられた長尺状カム摺動体７と、前記下枠２ａに設けられた駆動歯車３と、この駆動歯車３の回転運動を前記長尺状カム摺動体７の直線運動に変換する１本のみの動力変換手段（長尺状動力変換アーム）５とを備える（例えば図２参照）。
【００１９】
以下、本発明の一実施形態では、請求項１に関するすべり出し窓用開閉装置Ｘの構成・作用を詳細に説明し、このすべり出し窓用開閉装置Ｘをそのまま利用したすべり出し窓Ｙの構成については簡単に説明する。なお、以下の説明に於いて、各部材の先端部、後端部、室内側、室外側等の用語は、例えば平面視である図３又は図４を基準とする。この図３又は図４を基準にすると、各部材の後端部（或いは後）は図面の左側方向であり、一方、各部材の先端部（或いは前）は図面の右側方向である。また室内側は駆動歯車を軸支する箱体１が位置する図面の下側であり、一方、室外側は障子が開く方向の図面の上側である。また、本発明の細部的事項の説明は極力割愛する。
【００２０】
まず、図１に於いて、符号２は窓枠で、この窓枠２は、周知の如く、下枠２ａ、上枠２ｂ、左枠２ｃ及び右枠２ｄにより四方組みされ、望ましくはサッシを構成要素とする。一方、符号８は窓枠２内に開閉可能に取付けられた障子（窓）である。障子８は、サッシを構成要素とする一方の縦框（図面左）８ａ、他方の縦框（図面右）８ｂ、上框（図面上）８ｃ及び下框（図面下）８ｄにより四方組みされ、サッシ（框）の中はガラスである。前述したように、例えば窓枠２の下枠２ａの略中央部に固定した箱体１に操作部材４が設けられ、該操作部材４の操作力で作動する主要部のすべり出し窓用開閉装置Ｘは、前記下枠２ａに配設されている。障子８は、例えば前記操作部材４の操作力により、前記すべり出し窓用開閉装置Ｘを介して開閉され、かつ保持されるので、箱体１、操作部材４、駆動歯車３等の不要な部材を除き、障子８の上框８ｃと窓枠２の上枠２ｂの間にも「いわゆる窓ステー」と称されるすべり出し窓用開閉装置Ｘ１が配設されている。なお、上方に配設されるすべり出し窓用開閉装置Ｘ１に必要な構成部材は、下方に配設されるすべり出し窓用開閉装置Ｘのそれを援用し、詳細な図示や説明を割愛する。
【００２１】
さて、便宜上、障子８が全開した図４を参照にして、下方のすべり出し窓用開閉装置Ｘの主要部を説明する。この図４に於いて、まず１は窓枠２を構成する下枠２ａの室内側に固定された箱体（ハウジング）で、この箱体１には垂直軸（中心軸）Ｏを介して駆動歯車３が回転自在に設けられている。この駆動歯車３は、図示しない駆動源（例えば電動モータ）の駆動力により、又は図示の操作部４材の操作力のいずれかによって左右に回転可能である。
【００２２】
実施形態では、例えば図１及び図２で示すように、操作部材４は、片手で握ることができる操作部４ａ（図１）と、この操作部４ａの先端部（内端部）に設けられたハンドルアーム部４ｂと、このハンドルアーム部４ｂの先端部（内端部）に設けられたハンドル基部４ｃと、このハンドル基部４ｃの先端部（内端部）に一体的に設けられ、かつ箱体１内に傾斜状に支承され回転軸（仮想線）４ｄとから成り（図２）、前記回転軸（仮想線）４ｄの先端部の外周には歯車が設けられている。なお、ハンドルアーム部４ｂはハンドル基部４ｃに対して折り畳み可能に設けても良い。
【００２３】
しかして、駆動歯車３は、箱体１に架設した垂直軸Ｏに一体的に設けられ、その外周の一部にセレクタ状係合歯３ａを有する円形状歯車本体３ｂと、この円形状歯車本体３ｂの非セレクタ状係合歯３ａの適宜部位から付根部分が動力変換手段５側に曲がるようにして半径外方向に延びる長杆状駆動腕３ｃから成り、前記長杆状駆動腕３ｃの長さは駆動歯車３の半径よりも長く、好ましくは円形歯車本体３ｂの半径の２倍〜３倍、さらに好ましくは円形歯車本体３ｂの半径の略２倍以上である。
【００２４】
ところで、実施形態の駆動歯車３は、円形状歯車本体３ｂに長杆状駆動腕３ｃが一体成形されているが、本発明を回避するために、例えば前記円形状歯車本体３ｂと前記長杆状駆動腕３ｃとを別体に構成し、前記長杆状駆動腕３ｃを垂直軸Ｏに一体的に設け、該垂直軸Ｏと長杆状駆動腕３ｃが共働するように構成しても、本発明と実質的に同一である。
【００２５】
動力変換手段５は、例えば図６、図７、図９で示すように先端部に至る先端部寄りの部位が段差状に折り曲げ形成された細長い板片であり、実施形態では、発明の主たる課題を得るために、前述した長杆状駆動腕３ｃよりも長い１本のみの長尺状動力変換アームである。好ましくは長杆状駆動腕３ｃの長さの略１．２倍〜略１．８倍で、さらに望ましくは略１．５倍以上である。この長尺状動力変換アーム５は、前記長杆状駆動腕３ｃの突出先端部及び前記長尺状カム摺動体７の後端部（平面視では左端部）に、その前後の両端部がそれぞれ前後の連結ピン６ａ、６ｂを介して軸支されている。
【００２６】
したがって、長尺状動力変換アーム５は、駆動歯車３と共働する共働アームであり、次に説明する長尺状カム摺動体７を窓枠２の下枠２ａに沿って左右方向移動させる機能を有する。なお、長尺状動力変換アーム５は、前の連結ピン６ａを有する先端部から段差状に折れ曲がる後端部寄りの部位に至る中途部がやや山形状かつカーブしているが、これらの形状は任意に設計変更可能である。
【００２７】
次に、長尺状カム摺動体７は、すべり出し障子８を開・閉状態及びアンロック・ロック状態にそれぞれ切り換えすることができるように窓枠２の下枠２ａの固定ガイド１７に摺動自在に設けられ、前記すべり出し障子８の後端部側の一方の縦框８ａの下部に固定されたブラケット９と腕杆状の連結アーム１０を介して接続している。前記連結アーム１０は、図６、図７、図９で示すように後端部寄りの部位が段差状に折り曲げ形成された長尺状の板体であり、その後端部はすべり出し障子８の支点となる連結ピン１１を介して軸支され、一方、腕杆状に延びる係合先端部（図面右側）は、人差し指状先端部に設けられた第１係合突起１２と、親指を折り曲げたような形状の先端部寄りの部位（ここでは先端部の概念に含まれる）に設けられた第２係合突起１３を有し、前記第１係合突起１２は、長尺状カム摺動体７の長さ方向に形成した室外側の第１案内長孔１５に係合し、一方、前記第２係合突起１３は長尺状カム摺動体７の長さ方向に形成した室内側の第２案内長孔１６に係合する。
【００２８】
ここで、図８を参照にして、長尺状カム摺動体７の具体的構成を説明する。図８で示すように、長尺状カム摺動体７は、下枠に設けられた或いは形成された固定ガイド１７（図２参照）に案内される長尺状スライドベース板１８と、この長尺状スライドベース板の上面に固定された長尺状カム摺動板１９とから成る。
【００２９】
しかして、前記長尺状スライドベース板１８の端面又は断面は帽子のハット型形状に形成され、先端部と後端部の適宜部位には、不番の取付け孔と連結ピン用の支持孔がそれぞれ形成されている。付言すると、長尺状スライドベース板１８の後端部に形成された取付け孔は動力変換アーム５の後端部を軸支する後の連結ピン６ｂ用のものであり、一方、長尺状スライドベース板１８の先端部に形成された取付け孔は、後述する第１リンクの後端部を軸支する連結ピン２０用のものである。
【００３０】
一方、前記長尺状カム摺動板１９は、後端部寄りの部位が段差状に折り曲げ形成され、かつ取付け孔２１及び後の連結ピン６ｂ用の孔２２を有する後端部ａと、この後端部から一段高くなって先端部まで延びる大小の幅広状水平案内板部分ｂと、この幅広状水平案内板部分ｂの中途部の室内側の縁部分に長尺状スライドベース板１８の上面に向かって略Ｌ字形状に折り曲げ形成された取付け片ｃと、該取付け片ｃとは反対に幅広状水平案内板部分ｂの先端部の室外側の縁部分に立ち上がり形成された平面視略鉤状の係止突片部分ｄ（第１ロック手段を構成する）を有している。
【００３１】
そして、前記幅広状水平案内板部分ｂには、前述した略直線状の第１案内長孔１５と、この第１案内長孔と略平行する直線状部分１６ａ及び該直線状部分に連通する曲がり部分１６ｂを有する第２案内長孔１６とが形成されており、また前記取付け片ｃには固着具２３を介して該長尺状カム摺動板１９を長尺状スライドベース板１８の上面に固定するための取付け孔２４が形成されている。なお、前記第１案内長孔１５の「略直線状」とは、真っ直ぐな長孔のみならず、実施形態の如く、中途で多少室外側に多少ズレた状態の同一方向の連続長孔も含む意味である。
【００３２】
ここで、本発明の特定要件に加味することができる「第１ロック手段（２６、ｄ）」について説明する。第１ロック手段は非常に簡単な構成である。例えば図４を参照にすると、障子８の下框８ｄの略中央部には、下方方向に突出する係合ピン２６が固定的に設けられ、該係合ピン２６は、前述した長尺状カム摺動板１９の先端部側の平面視略鉤状の係止突片部分ｄ（第１ロック手段を構成する）と係脱可能である。
【００３３】
図４は障子８が全開した状態であるから、当然、障子８側の係合ピン２６は、下枠２ａ側の長尺状カム摺動板１９から解放されている。つまり、アンロック状態（解錠状態）である。このアンロック状態は、操作部材４の操作力により、動力変換アーム５を介して長尺状カム摺動板１９が、その先端部側に所要量摺動した初期段階（図１０参照）に生ずる。
【００３４】
したがって、図１０は閉窓状態であるものの、障子８が不完全閉位置の状態であり、長尺状カム摺動板１９が窓枠２の右枠２ｄ方向に多少移動しても、連結アーム１０の第１係合突起１２は第１案内長孔１２の後端縁に至っているものの、該連結アーム１０の第２係合突起１３は長尺状カム摺動板１９の第２案内長孔１６の直線状部分１６ａの後端に至り、未だ曲がり部分１６ｂに入り込んでいないので、窓ステーとしての機能を果たさず（連結アーム１０の第１係合突起１２及び第２係合突起１３は、未だ支点としの機能を発揮せず）、それ故に、長尺状カム摺動体７の移動は、未だ障子８の開きに関与していない。この時、実施形態では、本発明の特定要件に加味することができる「第２ロック手段（後述）」も、略同時にアンロック状態（解錠状態）になる（図１３参照）。
【００３５】
図３は、第１ロック手段（２６、ｄ）が互いに係合状態となるロック状態（施錠状態）を示す。この図３から明らかなように、長尺状カム摺動体７の先端部（平面視では右端部）には、すべり出し障子８の完全閉位置で、該すべり出し障子８の下框８ｄの略中央部を直接又は間接的に係止する第１ロック手段の他方（係止突片部分ｄ）が設けられている。なお、実施形態では、第１ロック手段の他方（係止突片部分ｄ）をすべり出し障子８の下框８ｄの略中央部に設け、一方、第１ロック手段の一方（係合ピン２６）を長尺状カム摺動体７の先端部に設けても良い。後述する第２ロック手段も同様である。
【００３６】
次に、窓枠２の他方の縦枠（図１では右枠）２ｄと、該他方の縦枠２ｄと対向する障子８の開放側である他方の縦框８ｂにそれぞれ設けられるフック４５と係合ピン４６から成る第２ロック手段（４５、４６）の構成について説明する。フックと係合ピンから成る第２ロック手段を縦枠と縦框に配設する事項は、特許文献１に記載されているように公知事項である。
【００３７】
本発明の従属的な構成要件である、第２ロック手段（４５、４６）が特許文献１と主に異なる点は、第２ロック手段を構成する他方の係合片（フック）が、窓枠２の他方の縦枠（図１では右枠）２ｄに沿って上下動する垂直杆の適宜部位に所定間隔を有して複数個固定されていること、また第２ロック手段（４５、４６）をアンロック・ロック状態にそれぞれ切り換えるための「動力伝達部材」が複雑であり、例えば長尺状カム摺動体７の先端部に接続する二本の開閉リンクと、前記二本の開閉リンクの水平方向の運動を垂直運動に変換する方向変換部材と、この方向変換部材の適宜部位を支持する支持板と、前記方向変換部材に下端部が接続する前記垂直杆等から成ることである。
【００３８】
そこで、例えば図１０、図１１、図１４等を参照にして、動力伝達部材の構成を説明する。これらの図に於いて、まず、３１は開閉リンクの一方を構成する第１リンク（図面左側に位置）で、この第１リンク３１の後端部は、前述した長尺状スライドベース板１８の先端部に連結ピン２０を介して軸支されている。３３は開閉方向（室内側と室外側）に位置変位する中間連結ピン３２を介して、その後端部が第１リンク３１の先端部に軸支された開閉リンクの他方を構成する第２リンク（図面右側に位置）で、この第２リンク３３の一側面（例えば下面）には係合突起３３ａが設けられている。
【００３９】
次に、３４は連結ピン３５を介して前記第２リンク３３の先端部を軸支する第１可動連結片で、この第１可動連結片３４の先端部には、上方に突出すると共に中途部位が略９０度に折り曲げ形成された第２可動連結片３６の後端部が固定されている。３７は前記第２可動連結片３６の先端部に後端部が接続し、一方、先端部が略三角形態の方向変換片３８の一つの角部３８ａに軸支された短杆状連結腕である。
【００４０】
３９は前記方向変換片３８の他の一つの角部３８ｂを軸支する支持板で、この支持板３９のベース部分は、下枠２ａに固定されている。そして、前記方向変換片３８の前記一つの角部３８ａの反対側のその余の角部３８ｃは、縦枠２ｄに沿って上下動する垂直杆４０の下端部の案内板４１に係合している。前記案内板４１には水平長孔４１ａが形成され、該水平長孔４１ａに前記角部３８ｃに設けた可動係合ピン４２が係合している。
【００４１】
さらに、実施形態では、本発明のさらなる付加的構成部材として、傾斜面５２等を有する案内部材５１が下枠２ａに固定され、該案内部材５１は、前記第１可動連結片３４及び第２可動連結片３６を案内とする共に所定位置でストップさせるストッパー機能を有するのみならず、第１リンク３１の先端部が超える前記傾斜面５２や不番弧状面は、第２ロック手段のロック状態が解かれた後に、長尺状カム摺動体７のさらなる前進に追動して前記第１リンク３１と第２リンク３３を内側（平面視ハの字状）に折り畳むことができるように案内する機能も有する。
【００４２】
したがって、実施形態では、長尺状カム摺動体７の先端部（平面視では右端部）には、第１リンク３１の後端部が軸支され、該第１リンク３１の先端部には第２リンク３３の後端部が中間連結ピン（可動連結ピン）３２を介して軸支され、さらに、該第２リンク３３の先端部には、すべり出し障子８が完全閉位置の状態から所定量移動したとき、前述した第１ロック手段のみならず、該すべり出し障子８の他方の縦框８ｂを係止する第２ロック手段（４０、４１）のロック状態も略同時に解くことができる動力伝達手段が配設され、前記中間連結ピン（可動連結ピン）３２は、前記すべり出し障子８側へと位置変位する。
【００４３】
すべり出し窓Ｙに適合するすべり出し窓用開閉装置Ｘは、以上のように構成されていることから、本発明のすべり出し窓Ｙは、四方組みされた窓枠２と、この窓枠内に設けられ、完全閉位置の状態から所定量移動した後、他方の縦框８ｂ側から円弧状に外方向へと開くすべり出し障子８と、このすべり出し障子８の上下框８ｃ、８ｄと前記窓枠２の上下枠２ｂ、２ａの間にそれぞれ設けられ、かつ前記すべり出し障子８を、少なくとも完全閉位置の状態と完全開位置の状態に切り換えて保持するすべり出し窓用開閉装置Ｘとから成る。
【００４４】
そして、前記窓枠２の下枠２ａ側に配設された前記すべり出し窓用開閉装置Ｘは、駆動歯車３と、この駆動歯車の駆動力を変換する１本のみの長尺状動力変換アーム５と、この長尺状動力変換アームの変換により前記窓枠２の下枠２ａに沿って進退動する長尺状カム摺動体７と、この長尺状カム摺動体７と前記すべり出し障子８の一方の縦框８ａ側に設けられたブラケット９と接続するように設けられた連結アーム１０とを備え、前記駆動歯車３の半径外方向に延びる一体又は別体の長杆状駆動腕３ｃは該駆動歯車の半径よりも長く、また前記長尺状動力変換アーム５は、前記長杆状駆動腕３ｃの突出先端部及び前記長尺状カム摺動体７の後端部（平面視では左端部）に、その前後の両端部がそれぞれ軸支され、かつ前記長杆状駆動腕３ｃよりも長く、さらに、前記長尺状カム摺動板７は、略直線状の第１案内長孔１５と、この第１案内長孔と略平行する直線状部分１６ａ及び該直線状部分に連通する曲がり部分１６ｂを有する第２案内長孔１６とを有し、前記第１案内長孔１５及び第２案内長孔１６に、前記連結アーム１０の腕杆状に延びる係合先端部の第１係合突起１２と第２係合突起１３がそれぞれ係合している。
【００４５】
なお、本明細書では、細部的事項の説明については極力割愛したが、例えば図４に於いて、符号１４は窓ステーを構成する他の連結アームで、該他の連結アーム１４の両端部はそれぞれ適宜に枢着されている。
【産業上の利用可能性】
【００４６】
本発明は、風を受け易い高層ビルディングや超高層ビルディングに適用できる。
【符号の説明】
【００４７】
Ｘ…すべり出し窓用開閉装置、
Ｙ…すべり出し窓、
１…箱体、
２…窓枠、２ａ…下枠、
Ｏ…垂直軸（中心軸）、
３…駆動歯車、
３ａ…セレクタ状係合歯、３ｂ…円形状歯車本体、３ｃ…長杆状駆動腕、
４…操作部材、４ａ…ハンドル本体、４ｂ…歯車、
５…動力変換手段（長尺状動力変換アーム）、
６ａ、６ｂ…前後の連結ピン、
７…長尺状カム摺動体、
８…すべり出し障子、８ａ…一方の縦框、
９…ブラケット、
１０…連結アーム、
１１…連結ピン、
１２…第１係合突起、
１３…第２係合突起、
１５…第１案内長孔、
１６…第２案内長孔、１６ａ…直線状部分、１６ｂ…曲がり部分、
１７…下枠の固定ガイド、
１８…長尺状スライドベース板、
１９…長尺状カム摺動板、
ａ…後端部、ｂ…幅広状水平案内板部分、ｃ…取付け片、ｄ…係止突片部分  、
２０…第１リンク用の連結ピン、
２１…取付け孔、
２２…連結ピン６ｂ用の孔２２、
２３…固着具、
２４…取付け孔、
２６、ｄ…第１ロック手段、
３１…第１リンク、
３３…第２リンク、
３８…方向変換片、
４０…上下動する垂直杆、
４１…案内板、
４５、４６…第２ロック手段、
５１…案内部材。
【図１】
2016089571.tif 000003
【図２】
2016089571.tif 000004
【図３】
2016089571.tif 000005
【図４】
2016089571.tif 000006
【図５】
2016089571.tif 000007
【図６】
2016089571.tif 000008
【図７】
2016089571.tif 000009
【図８】
2016089571.tif 000010
【図９】
2016089571.tif 000011
【図１０】
2016089571.tif 000012
【図１１】
2016089571.tif 000013
【図１２】
2016089571.tif 000014
【図１３】
2016089571.tif 000015
【図１４】
2016089571.tif 000016
【図１５】
2016089571.tif 000017